(57)【要約】【課題】水平部に対し立設部を折り畳んだときの立設部と読取り台との間に隙間ができないようにした上で、この折り畳んだ状態をしっかりと維持、固定できるようにする。【解決手段】写真等の各種読取り物を載置する読取り回転台１４を有する水平部１０Ａに対し、表示部２２を有する立設部１０Ｂを折り畳み可能に配置し、上記水平部１０Ａの左右には上記回転台１４の上面から高くなる段差部Ｋを設け、この段差部Ｋの側面Ｋｓに照明窓１７を設け、この段差部Ｋに嵌合する嵌合凸部１９を立設部１０Ｂに設ける。そして、上記水平部１０Ａの段差部Ｋの側面Ｋｓから突出する突出体２４ａと上記立設部１０Ｂの嵌合凸部の側面に設けた係合孔２６との係合によって、立設部１０Ｂの折り畳み状態をロックする。また、ロック解除釦３１ａの操作により上記係合孔２６と上記突出体２４ａの係合を外してロックを解除する。【選択図】図１
2007036483.tif 000002
【特許請求の範囲】
【請求項１】
写真及び手書きカードを含む各種読取り物を載置する読取り台を有する水平部と、この水平部に対し折り畳み可能に取り付けられ、読取り画像及びアルバム画像を表示する表示部を有する立設部と、を含んでなる電子アルバム作成装置であって、
上記水平部の左右端の少なくとも一端に設けられ、上記読取り台上面から高くなる段差部と、
上記立設部の左右端の少なくとも一端に設けられ、この立設部を折り畳んだとき上記段差部に嵌合する嵌合凸部と、
上記水平部段差部の側面又は上記立設部嵌合凸部の側面から進退可能に突出配置される突出体と、
上記立設部嵌合凸部の側面又は上記水平部段差部の側面に配置され、上記突出体を係合して上記立設部を上記水平部に固定するための係合孔と、
この係合孔に対する上記突出体の係合状態を操作する操作体と、を設けたことを特徴とする電子アルバム作成装置。
【請求項２】
上記水平部段差部の側面に、上記読取り台上を照明する照明窓を設け、上記立設部嵌合凸部が上記段差部に嵌合したときこの照明窓を塞ぐようにしたことを特徴とする請求項１記載の電子アルバム作成装置。
【請求項３】
上記水平部の読取り台として、回転台を設けた場合は、上記立設部を折り畳んだとき上記嵌合凸部の一部が上記回転台に接触してこの回転台を押さえるようにしたことを特徴とする請求項１又は２記載の電子アルバム作成装置。
【発明の詳細な説明】
【技術分野】
【０００１】
本発明は写真等の素材画像を読み取り、この画像に基づいて電子アルバムを作成する電子アルバム作成装置、特にこのアルバム作成装置の収納及び運搬を良好にするための構成に関する。
【背景技術】
【０００２】
従来から、パソコン（パーソナルコンピュータ）では、デジタルカメラ等で撮影された写真を電子的に格納し、専用のソフト等で電子アルバムを作成することが行われるが、本出願人は、写真、手書きカード等の画像を素材画像として読み取り、この素材画像に基づいて電子アルバムを作成する専用の電子アルバム作成装置を提案している。このような電子アルバム作成装置によれば、旅行の思い出や行事等の様子が表現された画像を画質劣化のない状態で観賞して楽しむことができる。
【特許文献１】特開平８-８４２７５号公報
【発明の開示】
【発明が解決しようとする課題】
【０００３】
図６には、上記電子アルバム作成装置の主な構成が示されており、図示されるように、水平部１Ａには、写真及び手書きカード等を載置するための読取り台２が配置され、この水平部１Ａの後端において垂直方向に立設した立設部１Ｂに、上記読取り台２上の写真等を読み取る読取り部（撮像部）３やアルバム作成時に素材画像及びアルバム画像を表示する表示部４が設けられる。
【０００４】
ところで、このような電子アルバム作成装置では、上記立設部１Ｂの存在によって装置の収納や運搬が行い難いという不都合があることから、図６に示されるように、水平部１Ａと立設部１Ｂとの接続部にヒンジ部５を配置して立設部１Ｂを水平部１Ａに対し折り畳むように構成し、コンパクトな状態で収納及び運搬ができるようにすることが考えられる。しかし、この際には、水平部１Ａに対し立設部１Ｂを単に折り畳むだけではなく、その折り畳んだ状態をしっかりと維持、固定できるようにすることが好ましい。
【０００５】
また、図６の電子アルバム作成装置において、読取り台２の左右端に形成した段差部Ｋに照明装置の照明窓７を配置し、この照明窓７から読取り台２上の写真、手書きカード等を照らすことにより、写真、手書きカード等の画像を良好に読み取ることを提案している。しかし、この場合には、立設部１Ｂを水平部１Ａへ折り畳んだとき、段差部Ｋの存在によって立設部１Ｂの前面と読取り台２との間に隙間ｈが生じることになり、この隙間ｈからその内部へ埃や小さなゴミ等が侵入して溜まったり、埃やゴミ等が照明窓７に付着したりする。
【０００６】
更に、電子アルバム作成装置では、読取り台２として回転台２Ｒを配置し、この回転台２Ｒを回転させることによって、写真、手書きカード等を真っ直ぐの状態で読み取るようにすることもできるが、上記のように、折り畳み時に立設部１Ｂと回転台２Ｒとの間に隙間があると、回転台２Ｒが動き易くなり、運搬時等に回転台２Ｒがずれたりする等の不都合が生じる。
【０００７】
本発明は上記問題点に鑑みてなされたものであり、その目的は、水平部に対し立設部を折り畳んだときの立設部と読取り台との間に隙間ができないようにした上で、この折り畳んだ状態をしっかりと維持、固定することが可能となる電子アルバム作成装置を提供することにある。
【課題を解決するための手段】
【０００８】
上記目的を達成するために、請求項１の発明に係る電子アルバム作成装置は、写真及び手書きカードを含む各種読取り物を載置する読取り台を有する水平部と、この水平部に対し折り畳み可能に取り付けられ、読取り画像及びアルバム画像を表示する表示部を有する立設部と、を含んでなる電子アルバム作成装置であって、上記水平部の左右端の少なくとも一端に設けられ、上記読取り台上面から高くなる段差部と、上記立設部の左右端の少なくとも一端に設けられ、この立設部を折り畳んだとき上記段差部に嵌合する嵌合凸部と、上記水平部段差部の側面又は上記立設部嵌合凸部の側面から進退可能に突出配置される突出体と、上記立設部嵌合凸部の側面又は上記水平部段差部の側面に配置され、上記突出体を係合して上記立設部を上記水平部に固定（ロック）するための係合孔と、この係合孔に対する上記突出体の係合状態（ロック又はロック解除）を操作する操作体と、を設けたことを特徴とする。
請求項２に係る発明は、上記水平部段差部の側面に、上記読取り台上を照明する照明窓を設け、上記立設部嵌合凸部が上記段差部に嵌合したときこの照明窓を塞ぐようにしたことを特徴とする。
請求項３に係る発明は、上記水平部の読取り台として、回転台を設けた場合は、上記立設部を折り畳んだとき上記嵌合凸部の一部が上記回転台に接触してこの回転台を押さえるようにしたことを特徴とする。
【０００９】
上記の構成によれば、立設部を折り畳んだとき、突出体が係合孔へ係合することにより折り畳んだ立設部が水平部へロックされ、また操作体によって上記突出体と係合孔の係合を外すことによりロックが解除され、立設部を垂直方向へ配置することができる。
【００１０】
また、水平部の左右端に段差部を設けた場合は、この両端の段差部と読取り部によって溝空間が形成されるが、この溝空間の全体に嵌合する嵌合凸部（表示部を突出させた凸部）を立設部の前面に設けることにより、この嵌合凸部が段差部の側面に配置された照明窓を覆って窓キャップの役目をしたり、読取り回転台に密着してこの回転台の動き、ずれを防止したりすることができる。なお、上記嵌合凸部は、段差部の側面に密着し、かつ水平部の前面側を塞ぐものであればよく、上記水平部の溝空間の周囲を囲む枠体状のものでよい。
【発明の効果】
【００１１】
本発明の電子アルバム作成装置によれば、水平部に対し立設部を折り畳んだときの立設部と読取り台との間に隙間ができないようにした上で、折り畳んでコンパクトにした状態をしっかりと維持、固定することが可能となり、収納、運搬が容易となる。また、折り畳んだ立設部と読取り台との間に、埃や小さなゴミ等が侵入して溜まったり、埃やゴミ等が照明窓に付着したりすることがなく、収納、運搬時に読取りの回転台がずれることも防止される。
【発明を実施するための最良の形態】
【００１２】
図１乃至図５には、実施例に係る電子アルバム作成装置の構成が示されており、まず図５により全体の構成を説明する。図５に示されるように、この装置は、水平部１０Ａと、この水平部１０Ａに対しヒンジ部１１で折り曲げ可能とされた立設部（垂直部）１０Ｂから構成され、この水平部１０Ａには、その上面に、左右両端の段差Ｋで中央部が低くなる凹部（溝部）１２が形成される。そして、この凹部１２には、写真、手書きカード及びタイトルカード等の読取り物を載せるため、水平面内で回転する円板状の回転台（写真台）１４が配置され、この回転台１４は、図１に示されるように回転軸１４ａを中心に手動又はモータ駆動にて時計方向及び反時計方向へ回転するように構成される。
【００１３】
上記水平部１０Ａの凹部１２の手前側には、操作部１５が設けられており、この操作部１５には、上下左右移動キー１５ａや入力キー１５ｂ、そして終了キー、剥しキー、貼付けキー等のアルバム編集作成に必要な操作キーが配置される。そして、この水平部１０Ａの段差Ｋの垂直の側面Ｋｓに、読取り物を照明するための照明窓（レンズ窓）１７が複数個配置されており、この照明窓１７の内部にＬＥＤ、小ランプ等が取り付けられる。
【００１４】
一方、立設部１０Ｂには、その基準面から上記凹部１２の高さ分だけ突出し、この凹部１２の全体に嵌合する嵌合凸部１９が設けられ、この嵌合凸部１９の上方に、写真等の画像を読み取るために、対物レンズと固体撮像素子であるＣＣＤ等を有する画像読取り部２１が設けられる。この画像読取り部２１は、ＣＣＤに対して対物レンズをレンズシフトする等によって斜め方向に配置される読取り物を台形変形なく読み取ることができる。また、立設部１０Ｂの嵌合凸部１９の中央部に液晶ディスプレイからなる液晶表示部２２が配置され、この液晶表示部２２は、実施例では図１（Ｂ）に示されるように、画面を見易くするために、上側が後へ倒れるように傾けて配置される。
【００１５】
このような電子アルバム作成装置では、上記凹部１２と嵌合凸部１９が嵌合する段差部Ｋを利用したロック機構が設けられる。図２及び図３には、図１（Ａ）の右側にあるロック部２３Ａの拡大図が示され、また図４には、図１（Ｂ）の右側にある（正面から見て左側）のロック部２３Ｂの拡大図が示されており、これらの図に示されるように、水平部１０Ａの内部には、突出体（突出ピン）２４ａが形成されたコ字状体２４ｂを有する棒状移動体２５Ａが右側に、同様の構成の移動体２５Ｂが左側に設けられ、垂直部１０Ｂの嵌合凸部１９の側面壁（液晶表示部２２の上方）には係合孔２６が形成される。上記移動体２５Ａ，２５Ｂは、上記コ字状体２４ｂが保持部２８で保持されると共に、板バネ（付勢部材）２９によって水平部１０Ａの中央側へ向けて付勢され、またこのコ字状体２４ｂの突出体２４ａは、その上側面が嵌合凸部１９へ向けて傾斜する傾斜面とされる。従って、嵌合凸部１９が上側から凹部１２へ嵌合するとき、この嵌合凸部１９の前面及び側面が上記傾斜面を押すことによって突出体２４ａを退避させた後、この突出体２４ａを係合孔２６に係合させることになる。
【００１６】
一方、図２乃至図４に示されるように、ロック解除釦３１ａを保持するピストン体３１ｂが支持体３２に支持されるが、このピストン体３１ｂはスプリング３３によって上側へ戻るように付勢されると共に、その側面に上記移動体２５Ａ，２５Ｂを水平移動させるための逆円錐形のテーパ面（上下運動を水平運動に変換するための駆動面）Ｆａが形成される。そして、ピストン体３１ｂが上下動する際に上記テーパ面Ｆａに接触する位置に、上記移動体２５Ａ，２５Ｂの突出体２４ａとは反対側の端部が配置される。従って、図３に示されるように、ロック解除釦３１ａを押すと、ピストン体３１ｂのテーパ面Ｆａが移動体２５Ａ，２５Ｂを外側へ押し出すことによって、突出体２４ａが係合孔２６から外れ、折り畳み状態のロックが解除される。
【００１７】
また、図１（Ｂ）に示されるように、水平部１０Ａの後側上面に突出するように位置決めピン３６が例えば左右２箇所に設けられ、この位置決めピン３６に係合する丸孔３７が立設部１０Ｂの下面（底面）の左右２箇所に配置されており、この位置決めピン３６を丸孔３７に係合させること（垂直位置の位置決め部材）によって、垂直に立てた立設部１０Ｂが水平部１０Ａの所定の位置に配置されることになる。更に、水平部１０Ａの背面と垂直に立てた立設部１０Ｂの背面が合わせられる位置の２箇所に、パチン錠３８が取り付けられており、このパチン錠３８（垂直位置の固定部材）によって垂直に立てた立設部１０Ｂを固定することができる。なお、立設部１０Ｂは完全な垂直状態ではなく、上部が後へ所定の角度だけ傾く（反る）立設状態に配置し、後へ傾いた位置を固定状態にしてもよい。
【００１８】
第１実施例は以上の構成からなり、電子アルバム作成装置のロック機構によれば、図１（Ｂ）の鎖線又は図２に示されるように、水平部１０Ａに対し立設部１０Ｂを折り畳んだときには、嵌合凸部１９が凹部１２へ嵌合し、この嵌合凸部１９の前面及び側面が突出体２４ａ（傾斜面）を押しながら退避させることにより、この突出体２４ａを係合孔２６に係合させ、立設部１０Ｂを水平部１０Ａに折り畳んだ状態でロック（固定）することができる。そして、立設部１０Ｂが折り畳まれたときには、嵌合凸部１９が凹部１１の全体を塞ぎ、かつ凹部１１の左右端段差部Ｋの側面Ｋｓに配置されている照明窓１７も嵌合凸部１９の側面で覆われるので、折り畳んだ立設部１０Ｂと水平部１０Ａとの間に埃やゴミ等が侵入することもなく、照明窓１７へ埃やゴミ等が付着することも防止できる。
【００１９】
一方、図３に示されるように、ロック解除釦３１ａを押すと、ピストン体３１ｂのテーパ面Ｆａによってその左右の移動体２５Ａ，２５Ｂが外側へ移動し、突出体２４ａが係合孔２６から外れ、折り畳み状態のロックが解除されるので、立設部１０Ｂを起こすことができる。この場合、立設部１０Ｂを回転可能にするヒンジ部１１等に、立設部１０Ｂを起き上がらせる方向に付勢力を与える付勢部材を配置し、ロック解除釦３１ａを押したとき、この付勢力によって立設部１０Ｂを少しだけ起き上がらせ、ロック解除釦３１ａを戻したとき、突出体２４ａと係合孔２６とが再度係合しないようにすることができる。
【００２０】
そして、立設部１０Ｂを垂直に立てると、その底面の丸孔３７が水平部１０Ａ上面の位置決めピン３６に係合し、この立設部１０Ｂは常に所定の垂直位置に位置決めされることになり、また水平部１０Ａと立設部１０Ｂの両背面の合せ部のパチン錠３８を止めることにより、垂直に立てた立設部１０Ｂが固定状態となる。
【００２１】
また、実施例では、立設部１０Ｂを折り畳んだとき、嵌合凸部１９の液晶表示部２２の周りの枠部が回転台１４の上面周囲に接触して押さえるようになっており、この嵌合凸部１９が水平部１０Ａの回転台１４の動き、ずれを防止する役目をする。
【００２２】
なお、実施例のロック機構は、水平部１０Ａの左右両方の段差部Ｋに配置したが、片方の段差部Ｋだけに設けるようにしてもよい。
【図面の簡単な説明】
【００２３】
【図１】本発明の実施例に係る電子アルバム作成装置の構成（内部も同時に描出したもの）を示し、図（Ａ）は立設部を立てた時の正面図、図（Ｂ）は側面図である。
【図２】図１（Ａ）の右側に配置されるロック機構とロック解除機構の拡大図で、ロック時の断面図である。
【図３】図１（Ａ）の右側に配置されるロック機構とロック解除機構の拡大図で、ロック解除時の断面図である。
【図４】図１（Ｂ）の右側に示されるロック機構とロック解除機構の拡大断面図である。
【図５】実施例の電子アルバム作成装置の構成を示す斜視図である。
【図６】提案する電子アルバム作成装置の構成を示す斜視図である。
【００２４】
１Ａ，１０Ａ…水平部、        １Ｂ，１０Ｂ…立設部、
２Ｒ，１４…回転台、          ３，２１…読取り部、
４，２２…液晶表示部、        ５，１１…ヒンジ部、
７，１７…照明窓、            １５…操作部、
１９…嵌合凸部、              ２３Ａ，２３Ｂ…ロック部、
２４ａ…突出体、              ２５Ａ，２５Ｂ…移動体、
２６…係合孔、                ２９…板バネ、
３１ａ…ロック解除釦、        ３２…支持体、
Ｋ…段差部、                  Ｋｓ…側面。
【図１】
2007036483.tif 000003
【図２】
2007036483.tif 000004
【図３】
2007036483.tif 000005
【図４】
2007036483.tif 000006
【図５】
2007036483.tif 000007
【図６】
2007036483.tif 000008